(57)【特許請求の範囲】
【請求項１】
遊技板と、遊技板の周縁の一部に遊技板の前面と背面と端面とに開口するように遊技板の端面から内側に窪み形成された切欠部と、遊技板の前面に取付けられたエレクトロルミネッセンスプレートと、エレクトロルミネッセンスプレートにおける遊技板の切欠部と対応する位置に設けられたプレート側端子部と、プレート側端子部における遊技板側の絶縁層が除去されて露出された導体と、エレクトロルミネッセンスプレートに電力を供給する電気ユニットより導出されて切欠部に配置されるフラットケーブルと、フラットケーブルの先端に設けられたケーブル側端子部と、ケーブル側端子部における片側の絶縁被覆が除去されて露出された導体と、プレート側端子部の導体がケーブル側端子部の導体の上に重ね合せられた場合にケーブル側端子部の導体を支持するように残存した絶縁被覆を受け止めるようにエレクトロルミネッセンスプレートから露出された遊技板の前面および切欠部に配置された受け側固定部材と、プレート側端子部の導体を支持するように残存した絶縁被覆および受け側固定部材におけるケーブル側端子部よりも両側に突出した部分に被せられた押え側固定部材と、押え側固定部材の両側に設けられた取付板と、押え側固定部材におけるプレート側端子部の導体を支持するように残存した絶縁被覆と対応する押え部に設けられかつ取付板がねじ釘で遊技板に締結されることによってプレート側端子部の導体と受け側固定部材で支持されたケーブル側端子部の導体とを互いに弾性下で接触するように圧縮される押圧部とを備えたことを特徴とする遊技機の発光装置における配線接続装置。
【請求項２】
受け側固定部材における遊技板の端面の側に位置する一端にはケーブル側端子部の位置を決めるための先端面位置決め壁体が受け側固定部材から押え側固定部材に向けて突出するように設けられ、フラットケーブルが受け側固定部材と遊技板における切欠部の窪んだ部分との間を経由して遊技板の裏面に配置されたことを特徴とする請求項１記載の遊技機の発光装置における配線接続装置。
【請求項３】
受け側固定部材には遊技板の切欠部に取り込まれる補強壁が設けられたことを特徴とする請求項１記載の遊技機の発光装置における配線接続装置。
【請求項４】
押え側固定部材における遊技板の端面の側に位置する一端には遊技板の切欠部に取り込まれる補強壁が設けられ、フラットケーブルが受け側固定部材から押え側固定部材の補強壁で遊技板の裏面側に折り曲げられて切欠部から遊技板の裏面に配置されたことを特徴とする請求項１記載の遊技機の発光装置における配線接続装置。
【発明の詳細な説明】
【０００１】
【産業上の利用分野】
この発明は、パチンコ機、スロットルマシーン等のような遊技機のエレクトロルミネッセンスに電気ユニットからのフラットケーブルを接続する遊技機の発光装置における配線接続装置に関する。
【０００２】
【従来の技術】
遊技機では、例えば実開平４−５００９２号公報に開示されたように、遊技板の前面にエレクトロルミネッセンスプレートを設け、電気ユニットからエレクトロルミネッセンスプレートの透明電極および背面電極に電力を制御しつつ供給することによって、エレクトロルミネッセンスプレートの発光層が所定色に発光するようにした発光装置が知られている。
【０００３】
【発明が解決しようとする課題】
上記発光装置を備えた遊技機を製造する場合には、大まかには、ベニヤのような遊技板の前面にエレクトロルミネッセンスプレートを取り付ける一方、遊技板の裏面に電気ユニットを取り付け、電気ユニットおよびエレクトロルミネッセンスプレート間にフラットケーブルを配線する必要がある。この場合、フラットケーブルの一端に設けられた端子部をエレクトロルミネッセンスプレートの周縁に設けられた端子部に予めはんだ付け等で接続しておき、フラットケーブルの他端に設けられた端子部を後工程で遊技板の裏面に取り付けられた電気ユニットの端子部に接続することが考えられるが、フラットケーブルの他端に設けられた端子部を電気ユニットの端子部に接続するまでの製造工程において、フラットケーブルが遊技板よりぶら下がるように突出して作業の邪魔になる。
【０００４】
また、エレクトロルミネッセンスパネルおよび電気ユニットが遊技板に取り付けられた後工程で、フラットケーブルの他端の端子部を電気ユニットの端子部に取り付ける一方、フラットケーブルの一端の端子部をエレクトロルミネッセンスプレートの端子部にはんだ付け等で接続することが考えられるが、エレクトロルミネッセンスプレートが遊技板に取り付けられた状態においては、エレクトロルミネッセンスプレートの端子部の周囲にははんだ付けに必要な作業空間を設けることが遊技機の構造より無理であるため、エレクトロルミネッセンスプレートの端子部にフラットケーブルの端子部をはんだ付けするのは極めて困難である。
【０００５】
結果として、前者および後者の場合のように、エレクトロルミネッセンスプレートの端子部にフラットケーブルの端子部をはんだ付けで接続することは、にわかに採用しがたいものである。
【０００６】
そこで、この発明は上記課題を解決するためになされたもので、その目的は遊技板の前面に取り付けられたエレクトロルミネッセンスプレートの端子部とフラットケーブルの端子部とをはんだ付けを用いることなく容易に接続可能にすることである。
【０００７】
【課題を解決するための手段】
本発明に係る遊技機の発光装置における配線接続装置は、遊技板と、遊技板の周縁の一部に遊技板の前面と背面と端面とに開口するように遊技板の端面から内側に窪み形成された切欠部と、遊技板の前面に取付けられたエレクトロルミネッセンスプレートと、エレクトロルミネッセンスプレートにおける遊技板の切欠部と対応する位置に設けられたプレート側端子部と、プレート側端子部における遊技板側の絶縁層が除去されて露出された導体と、エレクトロルミネッセンスプレートに電力を供給する電気ユニットより導出されて切欠部に配置されるフラットケーブルと、フラットケーブルの先端に設けられたケーブル側端子部と、ケーブル側端子部における片側の絶縁被覆が除去されて露出された導体と、ケーブル側端子部の導体とプレート側端子部の導体とが互いに重ね合せられて接続された場合にケーブル側端子部の導体を支持するように残存した絶縁被覆を受け止めるようにエレクトロルミネッセンスプレートから露出された遊技板の前面および切欠部に配置された受け側固定部材と、プレート側端子部の導体を支持するように残存した絶縁被覆および受け側固定部材におけるケーブル側端子部よりも両側に突出した部分に被せられた押え側固定部材と、押え側固定部材の両側に設けられた取付板と、押え側固定部材におけるプレート側端子部の導体を支持するように残存した絶縁被覆と対応する押え部に設けられかつ取付板がねじ釘で遊技板に締結されることによってプレート側端子部の導体と受け側固定部材で支持されたケーブル側端子部の導体とを互いに弾性下で接触するように圧縮される押圧部とを備えたことを特徴としている。よって、本発明に係る遊技機の発光装置における配線接続装置によれば、押え側固定部材の取付板がねじ釘で遊技板に締結されて固定されるのに伴い、押圧部が押え側固定部材とケーブル側端子部の導体を支持するように残存した絶縁被覆との間で圧縮されてプレート側端子部の導体と受け側固定部材で支持されたケーブル側端子部の導体とを互いに弾性下で接触するので、遊技中における振動が配線接続装置に伝達されても、遊技板の外側にはみ出すことなく切欠部に対応するプレート側端子部の導体とケーブル側端子部の導体との互いに重ね合せられて接続された状態が適切に確保されるという利点がある。受け側固定部材における遊技板の端面の側に位置する一端にはケーブル側端子部の位置を決めるための先端面位置決め壁体が受け側固定部材から押え側固定部材に向けて突出するように設けられ、フラットケーブルが受け側固定部材と遊技板における切欠部の窪んだ部分との間を経由して遊技板の裏面に配置されれば、プレート側端子部の導体に対するケーブル側端子部の導体の位置が正確になるという利点がある。受け側固定部材には遊技板の切欠部に取り込まれる補強壁が設けられれば、受け側固定部材によるケーブル側端子部を支持する強度が高くなり、プレート側端子部の導体とケーブル側端子部の導体との接続された状態を確保する性能が一層向上するという利点がある。押え側固定部材における遊技板の端面の側に位置する一端には遊技板の切欠部に取り込まれる補強壁が設けられ、フラットケーブルが受け側固定部材から押え側固定部材の補強壁で遊技板の裏面側に折り曲げられて切欠部から遊技板の裏面に配置されれば、押え側固定部材によるプレート側端子部を支持する強度が高くなり、プレート側端子部の導体とケーブル側端子部の導体との接続された状態を確保する性能が一層向上するという利点がある。
【０００８】
【実施例】
図１〜図９は本発明の第１実施例であって、図１は配線接続装置９を分解して示し、図２は図１をＡ−Ａ線に沿い切断した断面を示し、図３〜図６は接続工程を示し、図７は遊技機としてのパチンコ機の正面を示し、図８は図７をＢ−Ｂ線に沿い切断した断面を示し、図９は電気系統を示す。
【０００９】
図７を参照し、パチンコ機について説明する。パチンコ機では、パチンコ店の島に設置される外枠７２の前面に前枠７３を図外のヒンジを介して開閉自在に有する。前枠７３の内周縁には金枠７４及びガラス枠７５を介してガラス蓋７６が装着される。ガラス蓋７６より内側の外枠７２には遊技板１が設けられる。遊技板１の表面にはエレクトロルミネッセンスプレート４が重ね合わせに装着される。エレクトロルミネッセンスプレート４の表面の所定位置には図外の遊技球の通路を形成する複数の釘７７、ランプ風車７８、小風車７９、始動入賞口８０、役物（液晶カラーパネル）８１、役物８１の表示状態が大当りのとき開く可変入賞口装置（アタッカ）８２、点線で示す複数の表示領域８３ａ，８３ｂ，８３ｃ，８３ｄ，８３ｅ，８３ｆを備える。本明細書でエレクトロルミネッセンスプレート４と称する場合には表示領域８３ａ〜８３ｆとそれ以外の非発光領域とを含んだプレート体全体を言う。
【００１０】
外体７２の前面でガラス蓋７６の下方には、上皿セット８４、下皿セット８５、ハンドルグリップ８６が装着される。そして、ハンドルグリップ８６が一方向に回転操作されると、上皿セット８４内の遊技球がハンドルグリップ８６の操作で駆動した発射装置により順次弾かれてエレクトロルミネッセンスプレート４の表面側に形成されるバンド内へ飛び、遊技球の推力と重力との関係で、所定の釘７７の通路を通り、あるものは始動入賞口８０等へ入り、あるものはアウト口８７へ入る。遊技球が始動入賞口８０へ入った場合には表示領域８３ａ〜８３ｆのうちの所定領域が電気ユニット１１０の駆動により所定色に発光し、出玉としての所定数の遊技球が上皿セット８４内へ供給されると共に、役物８１の表示状態が変わる。役物８１の表示状態が大当りになると、表示領域８３ａ〜８３ｆのうちの所定領域が電気ユニット１１０の駆動により所定色に発光し、可変入賞口装置８２が開き、順次弾かれる遊技球が入り易くなり、出玉としての遊技球が多く出易くなる。
【００１１】
図８を参照し、図７の表示領域８３ａ〜８３ｆ周りにおけるエレクトロルミネッセンスプレート４の内部構造について説明する。エレクトロルミネッセンスプレート４は遊技板１の表面に接着剤９０で貼付けられたケント紙９１の表面に接着剤９２で接着される。エレクトロルミネッセンスプレート４の内部では、背面電極９３、絶縁層９４、発光層９５、透明電極層９６、透明保護フィルム９７が順次積層される。発光層９５は多色発光するようにパターニングされていて色鮮やかな図柄や種々の表示を行えるようになっている。このようなエレクトロルミネッセンスプレート４はスクリーン印刷法により製造することができる。
【００１２】
図９を参照し、電気系統について説明する。エレクトロルミネッセンスプレート４の周縁のうち一部（例えば底辺側における中央よりやや右側寄りの一部）には配線接続装置９及びフラットケーブル１０を介して電気ユニット１１０が接続される。電気ユニット１１０は遊技板１の背面に設置されるものであり、制御ユニット１１１及び駆動ユニット１１２から構成される。制御ユニット１１１は表示領域８３ａ〜８３ｆそれぞれの発光色を制御し、駆動ユニット１１２は表示領域８３ａ〜８３ｆそれぞれへの駆動電力の供給を制御する。
【００１３】
図１を参照し、配線接続装置９について説明する。遊技板１は例えばベニヤ等のような素材で構成される。遊技板１の全周縁のうちの一部、第１実施例では下端の中央側の部分には切欠部２が遊技板１の端面から内側に窪み形成される。遊技板１の背面には収容溝３が切欠部２に通じるように形成される。収容溝３はフラットケーブル１０を収容する溝である。
【００１４】
エレクトロルミネッセンスプレート４の縁部分にはプレート側端子部５が両側の切除部６；７間に残存する形態で切欠部２と対応する位置に形成される。切除部６；７は切欠部２よりも奥行きを深く切り欠かれた形態である。切除部６；７には受け側固定部材２０及び押え側固定部材４０が収容される。プレート側端子部５は複数の導体８ａ，８ｂ，８ｃ，８ｄ，８ｅ，８ｆ；８ｇを並列配置に備える。プレート側端子部５の遊技板１側では導体８ａ〜８ｇを覆う絶縁被覆が除法されて導体８ａ〜８ｇが露出される。導体８ａ〜８ｆは図７の表示領域８３ａ〜８３ｆに対応する図８の背面電極９３に個別に接続され、導体８ｇは背面電極９３の共通電極としての図８の透明電極層９６に接続される。
【００１５】
フラットケーブル１０は導体８ａ〜８ｇに対応する数の導体１１ａ〜１１ｇを並列配置に有する。フラットケーブル１０の一端であるケーブル側端子部１２の片面では導体１１ａ〜１１ｇを覆う絶縁被覆が除去されて導体１１ａ〜１１ｇが露出される。
【００１６】
配線接続装置９の受け側固定部材２０は、プレート側端子部５の下側にもぐり込む中央のケーブル収容部２１、左右の組付部２８；２９、底面側の補強壁３０から構成される。ケーブル収容部２１はフラットケーブル１０のケーブル側端子部１２を支持するための支持面２２を備える。支持面２２上の両サイドにはプレート側端子部５の側面及びケーブル側端子部１２の側面の位置決めを図るための側面位置決め壁体２３；２４が直立して設けられる。支持面２２上の図示手前の一端にはケーブル側端子部１２の先端面の位置決めを図るための先端面位置決め壁体２５が直立して設けられる。側面位置決め壁体２３；２４の高さはケーブル側端子部１２の厚さ及びプレート側端子部５の厚さとを加え合わせた分の高さを少なくとも有するが、この高さは先端面位置決め壁体２５の高さにも適用しても良い。支持面２２にケーブル側端子部１２の裏側面を貼付ける接着剤として、支持面２２には両面テープ３１が貼付けられる。
【００１７】
支持面２２の両サイド方向の延長上には上方へ向かう段差部を介して張出片２６；２７が設けられる。張出片２６上には組付部２８が設けられ、張出片２７上には組付部２９が設けられる。組付部２８；２９それぞれは上方へ向けて直立する支柱であって、大径部ａ及び小径部ｂから構成される。大径部ａと小径部ｂとの境目の段差部は止輪３２；３３の挿入深さを規定するストッパである。支持面２２の底面及び張出片２６；２７の底面には双方に一体化する補強壁３０が設けられる。
【００１８】
配線接続装置９の押え側固定部材４０は、プレート側端子部５の上に被せられる中央の押え部４１、左右の被組付部４７；４８、取付孔部５３；５４、補強壁４９；５０から構成される。押え部４１は裏面側（図示下方）へ加える押力を十分にとれるように四方を囲む壁面４２を備える。図示手前の壁面４２を含む押え部４１の内部には側面位置決め壁体２３；２４を収容し得る壁体用溝４３；４４が形成される。
【００１９】
押え部４１の両サイド方向の延長上には固定板４５；４６が設けられる。固定板４５；４６には被組付部４７；４８が個別に形成される。被組付部４７；４８は、固定板４５；４６より上方へ突出する突出部を有し、それら突出部に当該突出部から固定板４５；４６へ突き抜ける孔を形成している。各孔の形状は、組付部２８；２９の断面形状と相似形を成し、組付部２８；２９の挿入性を考慮して組付部２８；２９の断面形状の大きさより僅かに大きく形成される。
【００２０】
両サイドの一対の壁面４２及び固定板４５；４６は補強壁４９；５０で互いに連結される。固定板４５；４６の外側に設けられた取付板５１；５２には取付孔部５３；５４が個別に形成される。取付孔部５３；５４にはねじ釘５５；５６が個別に挿入され、ねじ釘５５；５６は遊技板１の下穴５７；５８へ個別にねじ込まれる。下穴５７；５８は配線接続装置９を介してプレート側端子部５とケーブル側端子部１２とが接続される工程よりも前の工程において遊技板１に形成される。図１中の結合子▲１▼；▲２▼；▲３▼；▲４▼は、結合子▲１▼どうしが互いにつながり、結合子▲２▼どうしが互いにつながり、結合子▲３▼どうしが互いにつながり、結合子▲４▼どうしが互いにつながる。
【００２１】
図２を参照し、押え部４１の内部構造について説明する。押え部４１の底面５９には凹部６０が押え部４１の内部に窪み形成される。凹部６０には例えばゴム等の弾性部材から構成された押圧部６１が嵌め込まれて装着される。押圧部６１の先端は底面５９より突出する。
【００２２】
図３〜図６を参照し、前記配線接続装置９でエレクトロルミネッセンスプレート４とフラットケーブル１０とを接続する工程について説明する。先ず、図３に示すように、フラットケーブル１０のケーブル側端子部１２を受け側固定部材２０に取付ける。それには、支持面２２に両面テープ３１を接着する。その状態において、ケーブル側端子部１２が残存する絶縁被覆の裏面側より側面位置決め壁体２３；２４の間に挿入される。このとき、ケーブル側端子部１２は側面位置決め壁体２３；２４に接触して左右方向の位置決めが図られる。又、ケーブル側端子部１２の先端は先端面位置決め壁体２５に接触して前後方向の位置決めが取られる。そして、ケーブル側端子部１２が支持面２２側に押込まれることにより、ケーブル側端子部１２が両面テープ３１で支持面２２に接着される。
【００２３】
次に、図４に示すように、押え側固定部材４０が受け側固定部材２０に装着される。それには、図１の被組付部４７；４８が組付部２８；２９の大径部ａに上方より外嵌挿入される。その後、図１の止輪３２；３３が組付部２８；２９の小径部ｂより小径部ｂと大径部ａとの境目である段差部まで挿入される。この状態において、押え側固定部材４０が受け側固定部材２０より離れる方向に引張られることによって、被組付部４７；４８が止輪３２；３３に接触し、導体１１ａ〜１１ｇと押圧部６１との間には、エレクトロルミネッセンスプレート４のプレート側端子部５を挿入し得る適切なクリアランスｄが形成される。又、止輪３２；３３は受け側固定部材２０と押え側固定部材４０との分離を防止する。
【００２４】
更に、図５に示すように、配線接続装置９が遊技板１に配置される。それには、ケーブル側端子部１２が装着された配線接続装置９が遊技板１に近づけられ、エレクトロルミネッセンスプレート４のプレート側端子部５がクリアランスｄに挿入される。このとき、プレート側端子部５は側面位置決め壁体２３；２４に接触して左右方向の位置決めが図られるので、導体８ａ〜８ｇと導体１１ａ〜１１ｇとが個別に互いに正確に対応する。これと並行し、フラットケーブル１０の配線装着装置９より突出した部分は切欠部２を経由して遊技板１の裏面側に引出されて収容溝３に配置される。
【００２５】
最後に、図６に示すように、配線接続装置９が遊技板１に固定される。それには、図１のねじ釘５５；５６が取付孔部５３；５４より遊技板１の下穴５７；５８に締結される。このとき、押圧部６１が圧縮しつつプレート側端子部５をケーブル側端子部１２に押付けることによって、導体８ａ〜８ｇと導体１１ａ〜１１ｇとが互いに重ね合さって接続される。これと並行し、側面位置決め壁体２３；２４が壁体用溝４３；４４に挿入される。
【００２６】
前記のように、プレート側端子部５の導体８ａ〜８ｇとケーブル側端子部１２の導体１１ａ〜１１ｇとが配線接続装置９で接続された状態においては、プレート側端子部５とケーブル側端子部１２及び配線接続装置９が遊技板１より外側に突出しないように切欠部２と対応配置されて保護される。又、フラットケーブル１０の配線接続装置９より突出した部分は切欠部２を経由して遊技板１の裏面より突出しないように収容溝３に配置されたので、遊技板１を組立工程で移動させる場合に、フラットケーブル１０が邪魔になったり外部のものに引っ掛かったりする等の心配はない。
【００２７】
図１０〜図１２は本発明の第２実施例であって、図１０は配線接続装置９を分解して示し、図１１は図１０をＣ−Ｃ線に沿い切断した断面を示し、図１２は配線接続装置９でエレクトロルミネッセンスプレート４とフラットケーブル１０とを接続した断面を示す。
【００２８】
第２実施例では、図１０に示すように、受け側固定部材２０が前記先端面位置決め壁体２５に相当する先端面位置決め壁体２５Ａを先端面位置決め壁体２５の反対側に位置して支持面２２より上に段差状に備える。押え側固定部材４０が前記壁体用溝４３；４４に相当する壁体用溝４３Ａ及び補強壁６２を備える。壁体用溝４３Ａは第１実施例の壁体用溝４３；４４が左右で１つに連なった形態である。補強壁６２は図１１に示すように、第１実施例の押え側固定部材４０に付加されたものであって、押え部４１の壁面４２と固定板４５；４６とに連結されるが、補強壁６２の縦幅はフラットケーブル１０を保護するために遊技板１の厚さ分程の縦幅がある。図１０におけるフラットケーブル１０は図１のフラットケーブル１０を平面内で１８０°回転させた状態である。
【００２９】
第２実施例において、配線接続装置９でエレクトロルミネッセンスプレート４とフラットケーブル１０とを接続する場合、ケーブル側端子部１２を受け側固定部材２０に取付けること（図３参照）、押え側固定部材４０が受け側固定部材２０に装着されること（図４参照）、配線接続装置９が遊技板１に配置されること（図５参照）、配線接続装置９が遊技板１に固定されること（図６参照）等の基本的な工程は第１実施例に類似するが、次の点で第１実施例と異なる。
【００３０】
図１２に示すように、第２実施例では、ケーブル側端子部１２を受け側固定部材２０に取付ける場合に、ケーブル側端子部１２が受け側固定部材２０に入れる方向が第１実施例と平面的に１８０°異なるように逆である。つまり、フラットケーブル１０のケーブル側端子部１２より延びる部分が補強壁３０側に配置され、ケーブル側端子部１２の先端が先端面位置決め壁体２５Ａに突き当てられる。又、押え側固定部材４０が受け側固定部材２０に装着される場合に、受け側固定部材２０より突出するフラットケーブル１０が補強壁６２で下側に折り曲げられて補強壁６２と補強壁３０との間を経由して配線接続装置９より外側に突出して遊技板１の収納溝３に配置される。
【００３１】
各実施例では組付部２８；２９の大径部ａと被組付部４７；４８の孔との間に摩擦抵抗を発生するよう、組付部２８；２９と被組付部４７；４８とが嵌め込まれる寸法関係を構成して、組付部２８；２９と被組付部４７；４８とが互いに圧入により組み付けるようにすれば、止輪３２；３３は必ずしも必要ない。又、組付部２８；２９に雄ねじを形成し、止輪３２；３３に前記雄ねじに螺合する雌ねじを形成し、両者を組み合わせる構成を採用しても良い。
【図面の簡単な説明】
【図１】  本発明の第１実施例の配線接続装置を示す分解斜視図。
【図２】  図１のＡ−Ａ線断面図。
【図３】  同第１実施例の接続工程図。
【図４】  同第１実施例の接続工程図。
【図５】  同第１実施例の接続工程図。
【図６】  同第１実施例の接続工程図。
【図７】  同第１実施例のパチンコ機を示す正面図。
【図８】  図７Ｂ−Ｂ線断面図。
【図９】  同第１実施例の電気系統図。
【図１０】  本発明の第２実施例の配線接続装置を示す分解斜視図。
【図１１】  図１０のＣ−Ｃ線断面図。
【図１２】  同第２実施例の接続完了状態を示す断面図。
【符号の説明】
１  遊技板
２  切欠部
４  エレクトロルミネッセンスプレート
５  端子部
８ａ〜８ｇ  導体
１０  フラットケーブル
１１  端子部
１１ａ〜１１ｇ  導体
２０  受け側固定部材
４０  押え側固定部材
１１０  電気ユニット
【図１】
0003729883.tif 000002
【図２】
0003729883.tif 000003
【図３】
0003729883.tif 000004
【図４】
0003729883.tif 000005
【図５】
0003729883.tif 000006
【図６】
0003729883.tif 000007
【図７】
0003729883.tif 000008
【図８】
0003729883.tif 000009
【図９】
0003729883.tif 000010
【図１０】
0003729883.tif 000011
【図１１】
0003729883.tif 000012
【図１２】
0003729883.tif 000013